(57)【要約】【課題】受水槽を有する給水システムを備える建物において、通常使用する給水ポンプが停止しても、受水槽の水を安定して使用し続けることを可能にする非常時対応型給水システムを提供する。【解決手段】本発明は、上記課題を解決するため、受水槽と、前記受水槽から水を複数箇所に送水する第一ポンプと、前記受水槽に接続した第二ポンプと、前記第二ポンプと前記複数箇所に送水する送水配管を開閉可能に接続するバイパス送水管と、前記第二ポンプを駆動させる発電機とからなり、前記第二ポンプの駆動により、前記第一ポンプが停止しても、前記複数箇所の内の少なくとも一部箇所において継続して前記受水槽の水を使用し続けることができることを特徴とする、非常時対応型給水システムの構成とした。【選択図】図２
2020033755.tif 000002
【特許請求の範囲】
【請求項１】
受水槽と、
前記受水槽から水を複数箇所に送水する第一ポンプと、
前記受水槽に接続した第二ポンプと、
前記第二ポンプと前記複数箇所に送水する送水配管を開閉可能に接続するバイパス送水管と、
前記第二ポンプを駆動させる発電機とからなり、
前記第二ポンプの駆動により、前記第一ポンプが停止しても、前記複数箇所の内の少なくとも一部箇所において継続して前記受水槽の水を使用し続けることができることを特徴とする、非常時対応型給水システム。
【請求項２】
受水槽と、前記受水槽から水を複数箇所に送水する第一ポンプとで稼働している既存給水システムにおいて、
さらに、前記受水槽に接続した第二ポンプと、前記第二ポンプと前記複数箇所に送水する送水配管を開閉可能に接続するバイパス送水管と、前記第二ポンプを駆動させる発電機を追加装備してなり、
前記第二ポンプの駆動により、前記第一ポンプが停止しても、前記複数箇所の内の少なくとも一部箇所において継続して前記受水槽の水を使用し続けることができることを特徴とする、非常時対応型給水システム。
【請求項３】
前記受水槽が、複数槽に区画されている場合には、一つの区画から前記第一ポンプに連通する第一配管に、揺れ感知緊急遮断弁を付加したことを特徴とする請求項１又は請求項２に記載の非常時対応型給水システム。
【請求項４】
前記区画が集合住宅、前記一部箇所が管理棟、前記既存設備が給湯室の蛇口又は及び給水機、又は／及び水洗トイレであることを特徴とする請求項１又は請求項２に記載の非常時対応型給水システム。
【請求項５】
前記第二ポンプからの送液が、前記既存の送水配管の止水栓と水道メータの間に接続されることを特徴とする請求項１又は請求項２に記載の非常時対応型給水システム。
【請求項６】
前記発電機が、プロパンガスの燃焼駆動型であることを特徴とする請求項１又は請求項２に記載の非常時対応型給水システム。
【請求項７】
前記第二ポンプが、前記受水槽の上に設置されたことを特徴とする請求項１又は請求項２に記載の非常時対応型給水システム。
【請求項８】
前記第二ポンプが、受水槽上部から投入され、底部に吸引口が位置する吸引式加圧給水ポンプであることを特徴とする請求項１又は請求項２に記載の非常時対応型給水システム。
【請求項９】
受水槽と、前記受水槽から水を複数箇所に送水する第一ポンプとで稼働している既存給水システムを利用する区画において、
さらに、前記受水槽に第二ポンプを追加し、前記第二ポンプと前記複数箇所に送水する既存の送水配管を開閉可能に接続したうえで、前記第二ポンプを駆動させる発電機も付加し、
前記第二ポンプの駆動により、前記第一ポンプが停止しても、前記複数箇所の内の少なくとも一部箇所において継続して前記受水槽の水を使用し続けることができることを特徴とする、非常時対応型給水システムへの改修方法。
【発明の詳細な説明】
【技術分野】
【０００１】
本発明は、受水槽を有する給水システムを備える建物、例えば集合住宅の管理棟、災害時の避難場所と使用されることが学校などにおいて、通常使用する給水ポンプが、停電、故障・交換・整備、地震による配管破裂、大雨等のよる部分浸水により、停止しても、受水槽の水を安定して使用し続けることを可能にする、低廉、簡易な構成、易操作性の非常時対応型給水システムに関する。
【背景技術】
【０００２】
集合住宅１２では、一般に、図１のような、既存の給水システム１１が設置、利用されている。従来の既存の給水システム１１は、受水槽２と、受水槽２から水を複数箇所に送水する第一ポンプを備え、集合住宅１２の各個室４ａ、管理棟５ｈへ送水する。以下、既存の給水システム１１の構成をより詳しく説明する。
【０００３】
受水槽２は、第一槽２ａ、第二槽２ｂなど、故障、整備のとき給水を止めないように、複数に分割されていることがある。そのような場合には、第一槽２ａ、第二槽２ｂに、それぞれ、送水用の第一配管３ａ、第二配管３ｂが接続し、第一ポンプ３へ第三配管３ｃで統合してから連絡する。
【０００４】
なお、受水槽２が複数に分割されているときは、一方の送水管、ここでは第一配管に地震を検知して、所定の条件で送水を止める弁である、緊急遮断弁３ｅが設けられることがあり、送水管が地震で破損しても受水槽２の水がすべて漏洩しないようにしている。
【０００５】
第一ポンプ３は、商用電源３ｄ、いわゆる家庭用１００Ｖで駆動している。ここでは、第一送水系路４を通し、集合住宅１２の各家庭（個室４ａ）へ送水し、第二送水系路５を通し、集合住宅１２の管理棟５ｈに送水している。
【０００６】
第一送水系路４は、第一ポンプ３と各個室４ａを、適宜分岐して連絡する第四配管４ｂと、各個室４ａに分岐した配管には、水の使用量を計測する水道メータ４ｃと、必要に応じて送水を開閉する元栓（止水栓４ｄ）が設けられている。後述の管理棟５ｈも同様である。
【０００７】
第二送水系路５は、第一ポンプ３と管理棟５ｈを連絡する第五配管５ａと、第五配管５ａに設けられた水の使用量を計測する水道メータ５ｂと、必要に応じて送水を開閉する元栓（止水栓５ｃ）が設けられている。
【０００８】
管理棟５ｈ内では、第五配管５ａは分岐して、給湯室５ｄの給湯機５ｆの蛇口５ｅ、トイレ５ｇの便器等に連絡し、受水槽２の水は送水される。給湯機５ｆは、管理棟５ｈの外に設置したボンベ８ａからプロパンガス８ｂの供給を受け、燃焼させ温水を作る。
【０００９】
地震、水害など災害時などでは、受水槽２に水があるのに停電で通常使用する第一ポンプ３が作動せず、受水槽２の水を使用することができない。また、便器に水を流せないので仮設トイレが必要になる。しかし、広域の災害のときは十分な仮設トイレ数を確保することができない。また仮設トイレは、汲み取り式のため好まれない。
【００１０】
そこで、災害等で、通常使用する給水ポンプが使用できなくなっても、受水槽の水を使用し続けることができる技術として、特許文献１の発明が公開されている。
【００１１】
特許文献１の発明は、地震や火災等の災害により停電になった際、小型化された簡便な設備を用いて、受水槽内に溜められた上水を建屋の各部屋に供給可能な停電時対応給水装置、及び停電時給水方法であって、
建屋１２の地下１１に配置された受水槽２１と、建屋１２の各部屋及び受水槽２１と接続され、受水槽２１内の上水Ａを各部屋に供給する上水供給ライン２２と、手動で開閉可能な減圧機能付きバルブ４６を有し、受水槽２１の気相Ｂに所定の圧力とされた不活性ガスを供給する不活性ガス供給容器２４と、を含むものである。
【００１２】
特許文献１は、小規模の受水槽で、短時間であれば可能かもしれないが、受水槽が大容量の場合、十分な圧力を掛けるために、特殊な不活性ガスを多量に常備しておかなければならない問題がある。また、災害時、そのような特殊ガスの安定供給にも問題がある。
【先行技術文献】
【特許文献】
【００１３】
【特許文献１】特開２０１４−４３７４０号公報
【発明の概要】
【発明が解決しようとする課題】
【００１４】
そこで、本発明は、受水槽を有する給水システムを備える建物において、通常使用する給水ポンプが停止しても、受水槽の水を安定して使用し続けることを可能にする非常時対応型給水システムを提供することを目的とする。
【課題を解決するための手段】
【００１５】
本発明は、上記の課題を解決するために、
（１）
受水槽と、
前記受水槽から水を複数箇所に送水する第一ポンプと、
前記受水槽に接続した第二ポンプと、
前記第二ポンプと前記複数箇所に送水する送水配管を開閉可能に接続するバイパス送水管と、
前記第二ポンプを駆動させる発電機とからなり、
前記第二ポンプの駆動により、前記第一ポンプが停止しても、前記複数箇所の内の少なくとも一部箇所において継続して前記受水槽の水を使用し続けることができることを特徴とする、非常時対応型給水システム。
（２）
受水槽と、前記受水槽から水を複数箇所に送水する第一ポンプとで稼働している既存給水システムにおいて、
さらに、前記受水槽に接続した第二ポンプと、前記第二ポンプと前記複数箇所に送水する送水配管を開閉可能に接続するバイパス送水管と、前記第二ポンプを駆動させる発電機を追加装備してなり、
前記第二ポンプの駆動により、前記第一ポンプが停止しても、前記複数箇所の内の少なくとも一部箇所において継続して前記受水槽の水を使用し続けることができることを特徴とする、非常時対応型給水システム。
（３）
前記受水槽が、複数槽に区画されている場合には、一つの区画から前記第一ポンプに連通する第一配管に、揺れ感知緊急遮断弁を付加したことを特徴とする（１）又は（２）に記載の非常時対応型給水システム。
（４）
前記区画が集合住宅、前記一部箇所が管理棟、前記既存設備が給湯室の蛇口又は及び給水機、又は／及び水洗トイレであることを特徴とする（１）又は（２）に記載の非常時対応型給水システム。
（５）
前記第二ポンプからの送液が、前記既存の送水配管の止水栓と水道メータの間に接続されることを特徴とする（１）又は（２）に記載の非常時対応型給水システム。
（６）
前記発電機が、プロパンガスの燃焼駆動型であることを特徴とする（１）又は（２）に記載の非常時対応型給水システム。
（７）
前記第二ポンプが、前記受水槽の上に設置されたことを特徴とする（１）又は（２）に記載の非常時対応型給水システム。
（８）
前記第二ポンプが、受水槽上部から投入され、底部に吸引口が位置する吸引式加圧給水ポンプであることを特徴とする（１）又は（２）に記載の非常時対応型給水システム。
（９）
受水槽と、前記受水槽から水を複数箇所に送水する第一ポンプとで稼働している既存給水システムを利用する区画において、
さらに、前記受水槽に第二ポンプを追加し、前記第二ポンプと前記複数箇所に送水する既存の送水配管を開閉可能に接続したうえで、前記第二ポンプを駆動させる発電機も付加し、
前記第二ポンプの駆動により、前記第一ポンプが停止しても、前記複数箇所の内の少なくとも一部箇所において継続して前記受水槽の水を使用し続けることができることを特徴とする、非常時対応型給水システムへの改修方法。
とした。
【発明の効果】
【００１６】
本発明である非常時対応型給水システムは、上記構成であるので、以下の効果を奏する。受水槽からの送水に通常使用する給水ポンプが、停止しても、受水槽の水を安定して使用し続けることを可能にする。その結果、修理、広域災害であっても、直ちに給水の援助の必要がなくも、また長期に給水の援助を要する場合でも、受水槽に給水すればよいので、避難生活、救援活動が軽減される。
【００１７】
受水槽の水を継続して使用することができれば、災害時にも、飲料、消火活動の他に、仮設トイレを用意、使用しなくとも、特定の区域、集合住宅の管理棟などでは、通常と同様のトイレ利用が可能である。プロパンガスで駆動するポンプを用いれば、一層安定的な燃料確保が可能になる。
【００１８】
受水槽を備える既存の給水システムに、設備を付加施工すれば、本願発明の非常時対応型給水システムを、簡易、短時間で組み立て、稼働できるので、災害発生、既存の給水システム停止後であっても、早期に通常生活が復旧する、また簡易な援助体制で足りる。
【図面の簡単な説明】
【００１９】
【図１】集合住宅等における従来の給水システムの概略図である。
【図２】本発明である非常時対応型給水システムの実施形態の模式図である。
【発明を実施するための形態】
【００２０】
以下、添付の図面を参照し、本発明の実施の形態の一例について詳細に説明する。なお、本発明は下記実施例に限定されるものではない。
【実施例１】
【００２１】
図２に示すように、本発明である非常時対応型給水システム１は、受水槽２と、第一ポンプ３と、第一送水系路４と、第二送水系路５と、第二ポンプ７ａを備える第三送水系路７と、発電機８とからなる。以下、既存の給水システム１１と同じ構成、作用については、同じ符号を付しているので、それら説明は省略する。既存の給水システム１１を参照のこと。
【００２２】
第三送水系路７は、受水槽２と第二送水系路５を各配管で連絡する。受水槽２側では、第一槽２ａ、第二槽２ｂに、それぞれ、送水用の第六配管７ｂ、第七配管７ｃが接続し、第二ポンプ７ａへ第八配管７ｄで統合してから連絡する。第八配管７ｄには、蛇口７ｅが設けられ、ここからも給水を受けることができる。
【００２３】
第二ポンプ７ａと第二送水系路５は、第九配管７ｆで接続され、第二送水系路５側では水道メータ５ｂと止水栓５ｃの間の第五配管５ａに第九配管７ｆが接続する。これにより、盗水にあたることなく、受水槽２の水を、第三送水系路７を経由して使用することができる。既存の給水システム１１に後付けする場合には、第五配管５ａと第九配管７ｆと接続は、サドル分水栓で連絡すればよい。
【００２４】
第九配管７ｆでは、図示省略しているが、両端にバルブを設け、水道メータ５ｂの下流に第九配管７ｆを接続する場合には、私設水道メータを介在させる。
【００２５】
第二ポンプ７ａは、発電機８、商用電源３ｄに電気的に接続し、それらで稼働する。第一ポンプ３の修理、交換など短時間の停止であれば、商用電源３ｄでも稼働できれば、プロパンガス８ｂで駆動しなくてもよい。さらに、商用電源３ｄに接続すればヒータを常時稼働させることができるので、冬期の第二ポンプ７ａ内の水の凍結防止になる。
【００２６】
また、第二ポンプ７ａを受水槽２の上部に設置すれば、洪水時、受水槽２の上部まで浸水して受水槽２に汚水が侵入するまで稼働することができ、二階に設置するより容易である。
【００２７】
第二ポンプ７ａとしては、例えば、井戸水汲み上げなどに使用する加圧給水ポンプが使用でき、それであれば、給湯機５ｆの着火に必要な水圧も十分に確保することができる。
【００２８】
第二ポンプ７ａによる吸水場所は、新規施工時は受水槽２の側面に接続して構わないが、追加施工の場合には、受水槽２の水を汚染、漏水させないように、受水槽２の上部に新規に穴を穿設、又は点検蓋を解放して、或いは点検蓋に穴を穿設して、防水、ゴミ混入防止シールなど施し、吸水口を受水槽２の底面に吊り下げればよい。
【００２９】
発電機８は、ここでは、プロパンガス８ｂを供給するボンベ８ａに接続し、プロパンガス８ｂでも稼働、発電し、第二ポンプ７ａに駆動用の電力８ｃを供給する。余剰があれば、管理棟５ｈに供給し、各種機器、設備の電力８ｄとして利用できる。
【００３０】
プロパンガス８ｂは、ボンベ８ａで供給可能で、ガソリンと異なりタンク給油制限がなく、品切れしづらく、都市ガスのように災害の供給停止もなく、災害時でも、他の燃料に比べ、格段に、十分量を安定的に入手可能である。
【符号の説明】
【００３１】
１      非常時対応型給水システム
２      受水槽
２ａ    第一槽
２ｂ    第二槽
３      第一ポンプ
３ａ    第一配管
３ｂ    第二配管
３ｃ    第三配管
３ｄ    商用電源
３ｅ    緊急遮断弁
４      第一送水系路
４ａ    個室
４ｂ    第四配管
４ｃ    水道メータ
４ｄ    止水栓
５      第二送水系路
５ａ    第五配管
５ｂ    水道メータ
５ｃ    止水栓
５ｄ    給湯室
５ｅ    蛇口
５ｆ    給湯機
５ｇ    トイレ
５ｈ    管理棟
７      第三送水系路
７ａ    第二ポンプ
７ｂ    第六配管
７ｃ    第七配管
７ｄ    第八配管
７ｅ    蛇口
７ｆ    第九配管
８      発電機
８ａ    ボンベ
８ｂ    プロパンガス
８ｃ    電力
８ｄ    電力
１１    既存の給水システム
１２    集合住宅
【図１】
2020033755.tif 000003
【図２】
2020033755.tif 000004
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
第一槽と第二槽に分割され前記第一槽と前記第二槽が連通管で連結された受水槽と、前記受水槽から水を複数箇所に送水配管を介して送水する第一ポンプとで稼働している既存給水システムを利用する区画において、
前記受水槽に水が溜められた状態で、
前記受水槽の前記連通管に第二ポンプを連設、追加し、前記第二ポンプと前記複数箇所に送水する送水配管を開閉可能にバイパス送水管で接続したうえで、前記第二ポンプを駆動させる発電機も付加し、
前記第二ポンプの駆動により、前記第一ポンプが停止しても、前記複数箇所の内の少なくとも一部箇所において継続して前記受水槽の水を使用し続けるものであって、
さらに、前記複数箇所が集合住宅及び管理棟を含み、
前記一部箇所が管理棟であって、
前記管理棟の給湯室の蛇口又は及び給水機、又は／及び水洗トイレにおいて前記受水槽の水を使用し続けることができることを特徴とする、非常時対応型給水システムへの改修方法。
【請求項２】
第一槽と第二槽に分割され前記第一槽と前記第二槽が連通管で連結された受水槽と、
前記受水槽から水を複数箇所に送水する第一ポンプと、
前記受水槽の前記連通管に接続した第二ポンプと、
前記第二ポンプと前記複数箇所に送水する送水配管を開閉可能に接続するバイパス送水管と、
前記第二ポンプを駆動させる発電機とからなり、
前記第二ポンプの駆動により、前記第一ポンプが停止しても、前記複数箇所の内の少なくとも一部箇所において継続して前記受水槽の水を使用し続けることができるものであって、
さらに、前記複数箇所が集合住宅及び管理棟を含み、
前記一部箇所が管理棟であって、
前記管理棟の給湯室の蛇口又は及び給水機、又は／及び水洗トイレにおいて前記受水槽の水を使用し続けることを特徴とする、非常時対応型給水システム。
【請求項３】
第一槽と第二槽に分割され前記第一槽と前記第二槽が連通管で連結された受水槽と、前記受水槽から水を複数箇所に送水する第一ポンプとで稼働している既存給水システムにおいて、
前記受水槽に水が溜められた状態で、
前記受水槽の前記連通管に接続した第二ポンプと、前記第二ポンプと前記複数箇所に送水する送水配管を開閉可能に接続するバイパス送水管と、前記第二ポンプを駆動させる発電機を追加装備してなり、
前記第二ポンプの駆動により、前記第一ポンプが停止しても、前記複数箇所の内の少なくとも一部箇所において継続して前記受水槽の水を使用し続けるものであって、
さらに、前記複数箇所が集合住宅及び管理棟を含み、
前記一部箇所が管理棟であって、
前記管理棟の給湯室の蛇口又は及び給水機、又は／及び水洗トイレにおいて前記受水槽の水を使用し続けることができることを特徴とする、非常時対応型給水システム。
【請求項４】
前記受水槽の前記第一槽から前記第一ポンプに連通する第一配管に、揺れ感知緊急遮断弁を付加したことを特徴とする請求項２又は請求項３に記載の非常時対応型給水システム。
【請求項５】
前記第二ポンプからの送液が、前記送水配管に設けられた止水栓と水道メータの間に接続されることを特徴とする請求項２又は請求項３に記載の非常時対応型給水システム。
【請求項６】
前記発電機が、プロパンガスの燃焼駆動型であることを特徴とする請求項２又は請求項３に記載の非常時対応型給水システム。
【請求項７】
前記第二ポンプが、前記受水槽の上に設置されたことを特徴とする請求項２又は請求項３に記載の非常時対応型給水システム。
【手続補正３】
【補正対象書類名】明細書
【補正対象項目名】００１５
【補正方法】変更
【補正の内容】
【００１５】
本発明は、上記の課題を解決するために、
（１）
第一槽と第二槽に分割され前記第一槽と前記第二槽が連通管で連結された受水槽と、前記受水槽から水を複数箇所に送水配管を介して送水する第一ポンプとで稼働している既存給水システムを利用する区画において、
前記受水槽に水が溜められた状態で、
前記受水槽の前記連通管に第二ポンプを連設、追加し、前記第二ポンプと前記複数箇所に送水する送水配管を開閉可能にバイパス送水管で接続したうえで、前記第二ポンプを駆動させる発電機も付加し、
前記第二ポンプの駆動により、前記第一ポンプが停止しても、前記複数箇所の内の少なくとも一部箇所において継続して前記受水槽の水を使用し続けるものであって、
さらに、前記複数箇所が集合住宅及び管理棟を含み、
前記一部箇所が管理棟であって、
前記管理棟の給湯室の蛇口又は及び給水機、又は／及び水洗トイレにおいて前記受水槽の水を使用し続けることができることを特徴とする、非常時対応型給水システムへの改修方法。
（２）
第一槽と第二槽に分割され前記第一槽と前記第二槽が連通管で連結された受水槽と、
前記受水槽から水を複数箇所に送水する第一ポンプと、
前記受水槽の前記連通管に接続した第二ポンプと、
前記第二ポンプと前記複数箇所に送水する送水配管を開閉可能に接続するバイパス送水管と、
前記第二ポンプを駆動させる発電機とからなり、
前記第二ポンプの駆動により、前記第一ポンプが停止しても、前記複数箇所の内の少なくとも一部箇所において継続して前記受水槽の水を使用し続けることができるものであって、
さらに、前記複数箇所が集合住宅及び管理棟を含み、
前記一部箇所が管理棟であって、
前記管理棟の給湯室の蛇口又は及び給水機、又は／及び水洗トイレにおいて前記受水槽の水を使用し続けることを特徴とする、非常時対応型給水システム。
（３）
第一槽と第二槽に分割され前記第一槽と前記第二槽が連通管で連結された受水槽と、前記受水槽から水を複数箇所に送水する第一ポンプとで稼働している既存給水システムにおいて、
前記受水槽に水が溜められた状態で、
前記受水槽の前記連通管に接続した第二ポンプと、前記第二ポンプと前記複数箇所に送水する送水配管を開閉可能に接続するバイパス送水管と、前記第二ポンプを駆動させる発電機を追加装備してなり、
前記第二ポンプの駆動により、前記第一ポンプが停止しても、前記複数箇所の内の少なくとも一部箇所において継続して前記受水槽の水を使用し続けるものであって、
さらに、前記複数箇所が集合住宅及び管理棟を含み、
前記一部箇所が管理棟であって、
前記管理棟の給湯室の蛇口又は及び給水機、又は／及び水洗トイレにおいて前記受水槽の水を使用し続けることができることを特徴とする、非常時対応型給水システム。
（４）
前記受水槽の前記第一槽から前記第一ポンプに連通する第一配管に、揺れ感知緊急遮断弁を付加したことを特徴とする（２）又は（３）に記載の非常時対応型給水システム。
（５）
前記第二ポンプからの送液が、前記送水配管に設けられた止水栓と水道メータの間に接続されることを特徴とする（２）又は（３）に記載の非常時対応型給水システム。
（６）
前記発電機が、プロパンガスの燃焼駆動型であることを特徴とする（２）又は（３）に記載の非常時対応型給水システム。
（７）
前記第二ポンプが、前記受水槽の上に設置されたことを特徴とする（２）又は（３）に記載の非常時対応型給水システム。
【手続補正４】
【補正対象書類名】明細書
【補正対象項目名】００２３
【補正方法】変更
【補正の内容】
【００２３】
第二ポンプ７ａと第二送水系路５は、第九配管７ｆで接続され、第二送水系路５側では水道メータ５ｂと止水栓５ｃの間の第五配管５ａに第九配管７ｆが接続する。これにより、盗水にあたることなく、受水槽２の水を、第三送水系路７を経由して使用することができる。既存の給水システム１１に後付けする場合には、第五配管５ａと第九配管７ｆとの接続は、サドル分水栓で連絡すればよい。
【手続補正５】
【補正対象書類名】明細書
【補正対象項目名】００３１
【補正方法】変更
【補正の内容】
【００３１】
１      非常時対応型給水システム
２      受水槽
２ａ    第一槽
２ｂ    第二槽
３      第一ポンプ
３ａ    第一配管
３ｂ    第二配管
３ｃ    第三配管
３ｄ    商用電源
３ｅ    緊急遮断弁
４      第一送水系路
４ａ    個室
４ｂ    第四配管
４ｃ    水道メータ
４ｄ    止水栓
５      第二送水系路
５ａ    第五配管
５ｂ    水道メータ
５ｃ    止水栓
５ｄ    給湯室
５ｅ    蛇口
５ｆ    給湯機
５ｇ    トイレ
５ｈ    管理棟
７      第三送水系路
７ａ    第二ポンプ
７ｂ    第六配管
７ｃ    第七配管
７ｄ    第八配管
７ｅ    蛇口
７ｆ    第九配管
７ｇ 連通管
８      発電機
８ａ    ボンベ
８ｂ    プロパンガス
８ｃ    電力
８ｄ    電力
１１    既存の給水システム
１２    集合住宅
【手続補正６】
【補正対象書類名】図面
【補正対象項目名】図２
【補正方法】変更
【補正の内容】
【図２】
2020033755.tif 000005